(57)【要約】      （修正有）【課題】この発明は、立って使用するフットマッサージ機で、遊園地、ゴルフ場等の郊外地、ショッビングセンター、コンビニ等の街中に設置し、足が疲れた時に、その場で即時に土足のまま足をマッサージするものである。【解決手段】振動部２を格納した本体１と人体検出部６、コイン／カード装置４、強弱切替ＳＷ部５、電源部７及び人の身体を支える上半身支え部１４より構成したものである。【選択図】図１
2005118164.tif 000002
【特許請求の範囲】
【請求項１】
振動部（２）を格納した本体（１）を床部又は地面等に置き、人が本体（１）に土足で乗り、人の上半身部を支え身体を安定させる上半身支え部（１４）を設ける事を特徴とする、立って使用するフットマッサージ機。
【請求項２】
本体（１）に圧力センサーを設け、人の重力で圧力センサーが作動する事を特徴とする、請求項１の立って使用するフットマッサージ機。
【請求項３】
支柱（１３）に赤外線センサー等人体を感知する人体検出センサー（１５）を設け、本体（１）に人が乗った時に人体検出センサー（１５）が作動する事を特徴とする、請求項１の立って使用するフットマッサージ機。
【請求項４】
上半身支え部（１４）に静電方式等のセンサーを設け、人が上半身支え部（１４）に触れた時に静電方式等のセンサーが作動する事を特徴とする、請求項１の立って使用するフットマッサージ機。
【請求項５】
フットマッサージ機に設けた、人が本体（１）に乗った事を判別する各種センサーとコイン又は、プリペイドカード等のカード類の料金による時間を算定する装置を接続し、算定した時間内をフットマッサージ機が作動する事を特徴とする、請求項１の立って使用するフットマッサージ機。
【請求項６】
本体（１）上部に、交換できる、靴／スパイク用マットを設ける事を特徴とする、請求項１の立って使用するフットマッサージ機。
【請求項７】
本体（１）上部に設けた靴／スパイク用マットに、広告を入れる事を特徴とする、請求項１の立って使用するフットマッサージ機。
【発明の詳細な説明】
【発明の詳細な説明】
【産業上の利用分野】
【０００１】  この発明は、足のマッサージ機に関するもので、詳しくは、遊園地、ゴルフ場等の郊外、デバート、ショッピングセンター、コンビニ等の街中、ホテル・旅館の玄関等々の人が出入りする場所に設置して、歩き疲れた時に土足で誰でも手軽に使用できる足のマッサージ機である。
【背景技術】
【０００２】  従来のマッサージ機の多くは、ホテル・旅館の浴場近辺、浴場を職業とする浴場の脱衣場、スポーツセンター、各家庭等に設置されてはいるが、いずれも、靴を脱いで、座ったり、仰向けに寝たりしているのが現状である。
【発明が解決しようとする課題】
【０００３】  従来の技術で述べた通り、多くのマッサージ機は、ホテル・旅館の浴場近辺、浴場を職業とする浴場の脱衣場、スポーツセンター、各家庭等靴を脱ぎ、リラクゼーションを目的とした場所に設置しており、人々が活動中疲れた時に即その場での使用ができない。
【課題を解決するための手段】
【０００４】  本発明は、土足のまま、立って足をマッサージするもので、振動部を格納した本体を床部に置き、その本体と接合した支柱の上部に上半身支え部設け、この上半身支え部をつかむか又は、もたれ掛かって身体を安定させ、振動部を振動させて使用する。
その振動部を振動させる方法は、大きく２方法があり、１つの方法は、フットマッサージ機のスイッチのＯＮ、ＯＦＦによる方法、もう１つの方法は、コインとセンサーとタイマーによる方法である。
【作用】
【０００５】  本発明のフットマッサージ機のスイッチによる方法の作用は、土足のまま本体に乗り、上半身支え部により身体を安定させた後に、フットマッサージ機のスイッチを入れると振動部が振動し足をマツサージし、スイッチを切ると振動部の振動が停止、振動部の振動が停止後に本体より降りる。
コインとセンサーとタイマーによる方法は、土足のまま本体に乗り、上半身支え部により身体を安定させた後にコインを入れると、フットマッサージ機のスイッチがＯＮになる。フットマッサージ機の作動中に本体より降りるとセンサーが働きフットマッサージ機のスイッチは一時的にＯＦＦになるが、再び、本体に乗るとスイッチはＯＮになる。フットマッサージ機の完全なスイッチＯＦＦは、本体に内蔵されたタイマーにより設定した時間で完全なスイッチＯＦＦになる。
タイマーの設定した時間経過の計測方法は、フットマッサージ機の振動部の作動時間を計測する方法とコインを入れた時間からの経過時間を計測する方法があるが、一般的には、振動部の作動時間を計測する方法である。
【実施例】
【０００６】  図面を参照して、コインによる実施例を説明する。
足を乗せる振動部（２）を格納した本体（１）を床部又は地面等に置き、人が土足で本体（１）に乗ると支柱（１３）に設けた人体検出センサー（１５）が検知し、人が本体（１）に乗っているとの判別をし、コインタイマー（１６）にコインを入れるとコインタイマー（１６）がＯＮになる事で、本体（１）の振動部（２）のスイッチがＯＮになる。人体検出センサー（１５）の検知と振動部（２）のスイッチがＯＮとのＡＮＤ条件により振動部（２）が振動する事で、フットマッサージ機が作動した事になる。
人が本体（１）から降りると、人体検出センサー（１５）が検知しなくなる事で、振動部（２）のスイッチがＯＮとのＡＮＤ条件が成立せず、振動部（２）が振動しなくなり、フットマッサージ機が止まる。
再び、人が本体（１）に乗ると人体検出センサー（１５）が検知し、振動部（２）のスイッチがＯＮとのＡＮＤ条件が成立し、フットマッサージ機が作動するが、設定した時間が経過するとフットマッサージ機が止まる。
その設定時間は、予め設定しておき、コインタイマー（１６）への投下で時間計測を開始し、設定時間が経過した時コインタイマー（１６）がＯＦＦになり、振動部（２）のスイッチもＯＦＦになる方法と、コインタイマー（１６）の変わりに、別途タイマーとコインボックスを設け、コインボックスのＯＮと人体検出センサー（１５）の検知でタイマーが時間計測を行う方法もあり、この方法は、人が本体（１）に乗り、フットマッサージ機が作動している時間だけを計測する。
支柱（１３）に人体検出センサー（１５）を設けない時は、足を乗せる振動部（２）を格納した本体（１）を床部又は地面等に置き、人が土足で本体（１）に乗り、コインタイマー（１６）にコインを入れるとコインタイマー（１６）がＯＮになる事で、本体（１）の振動部（２）のスイッチがＯＮになり、フットマッサージ機が作動する。
コインタイマー（１６）及び人体検出センサー（１５）を設けない時は、足を乗せる振動部（２）を格納した本体（１）を床部又は地面等に置き、人が土足で本体（１）に乗り、フットマッサージ機のスイッチをＯＮにすると、フットマッサージ機が作動、スイッチをＯＦＦにすると、フットマッサージ機が止まる。
本体（１）に人が乗った事を判別する方法は、人体検出センサー（１５）の他には、本体（１）に人が乗るとその重量により反応する、圧力センサー又は、マイクロスイッチ等があり、人が上半身支え部（１４）を握る、もたれる等触れると反応する静電方式等もあるが、どの様な方法でも良く、本体（１）に人が乗った事が感知できれば良い。
図２の如く、本体（１）と支柱（１３）を接合し一体となるフットマッサージ機、図５、図６、図７、如く、本体（１）と人の身体を支える上半身支え部（１４）とを別々に構成するフットマッサージ機があり、どちらの方法でも良く、上半身支え部（１４）の直線、四角形、円形等の設置方法及び単独、連続にはこだわらず、又、その形状もこだわらなく、人が、本体（１）に乗った時、安定とリラクゼーションが得られれば良い。
図８の如く、身体の安定を図る方法として、吊り輪を利用しても良い。
本体（１）上部に、靴、ゴルフシューズ等の履物の汚れに対して交換できる、靴／スパイク用マットを敷き、靴／スパイク用マットを通じて足をマッサージする。
靴／スパイク用マットの本体（１）への取り付け方法は、ネジで止める方法とはめ込める方法があるが、どちらの方法でも振動で緩まないようにすれば良い。
靴／スパイク用マットの上部等、即ち利用者に見える位置に広告を入れる。
荷物掛け（１８）の活用方法は、人が歩き疲れてフットマッサージ機を利用する時、手荷物を掛ける活用と子供等背丈の低い人が利用する時は、荷物掛け（１８）を手で持ち身体の安定を図る活用がある。
本体（１）へは土足で乗るが、土足にこだわらず、靴を脱いで乗っても良い。
強、中、弱切替スイッチ（１７）で、利用者がその強さを調整できる。他の活用として、初めは弱でその後、中、強と段階的にその強さを強める事もでき、マイコン等に記憶したソフトウェアで色々な組合せが可能である。
フットマッサージ機を有料で利用する方法は、コインのみならず、プリペイドカード、ＩＣカード等のカード類を活用した前払い方法、ＩＣカード、ＩＤカード等のカード類又は、携帯電話機等を活用した後払い方法もあり、どの様な方法でも、コインタイマー（１６）の変わりに、プリペイド読取／書込装置等の制御装置の接続等活用するカード又は機器に必要な制御装置を接続すれば良い。
フットマッサージ機を設置する場所は、土足のままマッサージ機を利用できるため、遊園地、ゴルフ場、ハイキングコース内の売店等の郊外、ショッビングセンター、デパート、コンビニ、喫茶店等の街中及び屋内、屋外を問わず、靴をぬがず土足のまま手軽に使用できるため、人々が仕事中又は、行楽時等の活動中に、歩き疲れた時、即その場での使用ができる。
又、具体的な構成及びシステムは、実施例に記載された内容に限られるものではなく、本発明の要旨を逸脱しない構成及びシステム等は本発明に含まれる。
【発明の効果】
【０００６】  従って、次の効果がある。
多くのマッサージ機は、靴を脱ぎ、リラクゼーションを目的とした場所に設置しており、人々が活動中、歩き疲れた時、即その場での使用ができないが、本発明は、土足のままの使用、容易な操作性、設置スペースをとらず且つ、安価であるため、どこにでも設置でき、靴をぬがず土足のまま手軽に使用できるため、人々が仕事中又は、行楽時の活動中、歩き疲れた時、即その場での使用ができる。
又、広告を入れる事により、その収入も見込める。
【図面の簡単な説明】
【０００７】
【図１】          本体構成図
【図２】          フットマッサージ機側面図
【図３】          上半身支え部イメージ凡例図−１
【図４】          上半身支え部イメージ凡例図−２
【図５】          上半身支え部イメージ凡例図−３
【図６】          上半身支え部イメージ凡例図−４
【図７】          上半身支え部イメージ凡例図−５
【図８】          上半身支え部イメージ凡例図−６
【図９】          上半身支え部イメージ凡例図−７
【符号の説明】
１          本体
２          振動部
３          制御部
４          コイン／カード装置
５          強弱切替ＳＷ部
６          人体検出センサー部
７          電源部
８          ベース
９          カバー
１０        タンバーゴム
１１        本体ネジ
１２        硬質ゴム
１３        支柱
１４        上半身支え部
１５        人体検出センサー
１６        コインタイマー
１７        靴／スパイク用マット
１８        強、中、弱切替スイッチ
１９        荷物掛け
【図１】
2005118164.tif 000003
【図２】
2005118164.tif 000004
【図３】
2005118164.tif 000005
【図４】
2005118164.tif 000006
【図５】
2005118164.tif 000007
【図６】
2005118164.tif 000008
【図７】
2005118164.tif 000009
【図８】
2005118164.tif 000010
【図９】
2005118164.tif 000011